(57)【要約】【課題】  より効率的に紙葉類を処理することができる紙葉類処理方法、及び紙葉類処理システムを提供する。【解決手段】  一実施形態に係る紙葉類処理方法は、紙葉類処理装置と、照合装置とを有する紙葉類処理システムに用いられる紙葉類処理方法であって、前記紙葉類処理装置は、紙葉類のバッチ毎に計数処理を行い検査結果を生成し、前記照合装置は、前記検査結果内の複数のバッチを操作に応じて選択し、選択された複数のバッチを１つのバッチに統合する統合処理を実行し、複数のバッチが統合された前記検査結果を表示する為の画面を生成する。【選択図】      図８
2015176209.tif 000002
【特許請求の範囲】
【請求項１】
紙葉類処理装置と、照合装置とを有する紙葉類処理システムに用いられる紙葉類処理方法であって、
前記紙葉類処理装置は、紙葉類のバッチ毎に計数処理を行い検査結果を生成し、
前記照合装置は、
前記検査結果内の複数のバッチを操作に応じて選択し、
選択された複数のバッチを１つのバッチに統合する統合処理を実行し、
複数のバッチが統合された前記検査結果を表示する為の画面を生成する、
紙葉類処理方法。
【請求項２】
前記検査結果は、バッチ毎にバッチＩＤ、排除券数、及び集積数を示す情報を有し、
前記照合装置は、選択された複数のバッチのバッチＩＤのうちの１つを採用し、選択された複数のバッチの排除券数及び集積数のそれぞれの合算数を採用されたバッチＩＤに対応付ける、
請求項１に記載の紙葉類処理方法。
【請求項３】
前記照合装置は、前記統合処理の実行前に前記統合処理の結果をプレビュー表示させる画面を生成する、
請求項１に記載の紙葉類処理方法。
【請求項４】
紙葉類処理装置は、前記紙葉類のバッチが分割されて前記検査結果が生成された場合、分割されたバッチに対してバッチが分割されたことを示すバッチ分割情報を付加し、
前記照合装置は、前記検査結果と、各バッチ毎に前記バッチ分割情報と、を表示させる画面を生成する、
請求項１に記載の紙葉類処理方法。
【請求項５】
紙葉類処理装置と、照合装置とを有する紙葉類処理システムであって、
前記紙葉類処理装置は、
バッチＩＤを有するバッチカードと、紙葉類とが重ねられたバッチのバッチカードからバッチＩＤを識別する識別部と、
前記バッチカードの後続の前記紙葉類に対して計数処理を実行する計数処理部と、
前記紙葉類の計数処理の結果と、前記バッチＩＤとを対応付けて検査結果を生成する検査結果生成部と、
前記紙葉類を集積庫に区分する区分処理部と、
を具備し、
前記照合装置は、
前記検査結果内の複数のバッチを操作に応じて選択し、選択された複数のバッチを１つのバッチに統合する統合処理を実行する統合処理部と、
複数のバッチが統合された前記検査結果を表示する為の画面を生成する照合処理部と、
を具備する、
紙葉類処理システム。
【発明の詳細な説明】
【技術分野】
【０００１】
本発明の実施形態は、紙葉類処理方法、及び紙葉類処理システムに関する。
【背景技術】
【０００２】
従来、例えば紙葉類の計数及び判別を行う紙葉類処理装置が実用化されている。紙葉類処理装置は、投入部に投入された紙葉類を１枚ずつ取り込み、紙葉類の検査装置に搬送する計数処理を行う。検査装置は、紙葉類に対して種々の処理を行い紙葉類の券種、汚損度、及び真偽などを判別する。
【０００３】
また、計数処理の結果である計数結果を整理する為に、紙葉類処理装置は、識別番号が印刷されたバッチカードを処理する。紙葉類処理装置は、バッチカードと紙葉類の束（バッチ）とをセットで処理する。これにより、紙葉類処理装置は、計数結果をバッチカードの識別番号に対応付けることができる。
【０００４】
また、紙葉類処理装置による計数結果が予め登録されたデポジット情報に対して正しいか否かを判断する照合装置がある。
【先行技術文献】
【特許文献】
【０００５】
【特許文献１】特開２００９−２４５３５８号公報
【発明の概要】
【発明が解決しようとする課題】
【０００６】
例えばバッチの途中で処理が中断された場合、紙葉類処理装置は、計数結果を分割する。これにより、紙葉類処理装置は、二つ以上のバッチとして計数結果をデータベースに保存する。しかし、上記のデポジット情報は、分割される前のバッチに対応するように登録されている。この為、バッチが分割された場合、照合装置が照合処理を行うことができないという課題がある。
【０００７】
本発明の目的は、より効率的に紙葉類を処理することができる紙葉類処理方法、及び紙葉類処理システムを提供することである。
【課題を解決するための手段】
【０００８】
一実施形態に係る紙葉類処理方法は、紙葉類処理装置と、照合装置とを有する紙葉類処理システムに用いられる紙葉類処理方法であって、前記紙葉類処理装置は、紙葉類のバッチ毎に計数処理を行い検査結果を生成し、前記照合装置は、前記検査結果内の複数のバッチを操作に応じて選択し、選択された複数のバッチを１つのバッチに統合する統合処理を実行し、複数のバッチが統合された前記検査結果を表示する為の画面を生成する。
【図面の簡単な説明】
【０００９】
【図１】図１は、一実施形態に係る紙葉類処理システムについて説明する為の図である。
【図２】図２は、一実施形態に係る紙葉類処理装置について説明する為の図である。
【図３】図３は、一実施形態に係る紙葉類処理装置について説明する為の図である。
【図４】図４は、一実施形態に係る紙葉類処理装置について説明する為の図である。
【図５】図５は、一実施形態に係る紙葉類処理装置について説明する為の図である。
【図６】図６は、一実施形態に係るバッチカードについて説明する為の図である。
【図７】図７は、一実施形態に係る照合装置について説明する為の図である。
【図８】図８は、一実施形態に係る照合装置の動作について説明する為の図である。
【図９】図９は、一実施形態に係る照合装置の表示例について説明する為の図である。
【図１０】図１０は、一実施形態に係る照合装置の表示例について説明する為の図である。
【図１１】図１１は、一実施形態に係る紙葉類処理システムの動作について説明する為の図である。
【発明を実施するための形態】
【００１０】
以下、図面を参照しながら紙葉類の紙葉類処理方法、及び紙葉類処理システムの実施形態について、詳細に説明する。  
図１は、一実施形態に係る紙葉類処理システム１の構成の例を示す。  
紙葉類処理システム１は、少なくとも１台以上の紙葉類処理装置１００、再検査装置２００、サーバ３００、及び照合装置４００を備える。紙葉類処理装置１００、再検査装置２００、サーバ３００、及び照合装置４００は、ネットワークを介して互いにデータを送受信可能な状態で接続されている。
【００１１】
紙葉類処理装置１００は、投入された複数枚の紙葉類（被検査媒体）を一枚ずつ高速で取り込み、取り込んだ紙葉類の券種（ｃａｔｅｇｏｒｙ）、正損（ｆｉｔｎｅｓｓ）、及び真偽（ａｕｔｈｅｎｔｉｃａｔｉｏｎ）などを検査する。また、紙葉類処理装置１００は、紙葉類を計数する。さらに、紙葉類処理装置１００は、検査済みの再使用可能な紙葉類を結束して排出する。
【００１２】
また、紙葉類処理装置１００は、各紙葉類毎に再検査が必要であるか否か判断する。紙葉類処理装置１００は、再検査が必要であると判断された紙葉類を排除券として排出する。
【００１３】
なお、紙葉類処理装置１００は、紙葉類の束に重ねられたバッチカードを処理する。バッチカードには、固有の識別情報（ＩＤ）がバーコード、二次元コードまたは他の方法により印刷されている。紙葉類処理装置１００は、バッチカードの画像を読み取り、バッチカードの識別情報（バッチＩＤ）を認識することができる。
【００１４】
紙葉類処理装置１００は、紙葉類の計数結果と、バッチＩＤとを検査結果として対応付ける。紙葉類処理装置１００は、検査結果をサーバ３００に送信する。
【００１５】
また、紙葉類処理装置１００は、バッチカードを排除券として排出する。即ち、紙葉類処理装置１００は、再検査が必要であると判断された紙葉類と、バッチカードとの束を排除券として排出する。
【００１６】
サーバ３００は、紙葉類処理装置１００から送信された検査結果に識別番号を付し、サーバ３００内の記憶媒体に格納する。
【００１７】
また、紙葉類処理装置１００、及び再検査装置２００を操作するオペレータは、紙葉類処理装置１００から排出された排除券を再検査装置２００に投入する。再検査装置２００は、投入された排除券を再検査する。
【００１８】
再検査装置２００は、紙葉類の計数結果と、バッチＩＤとを再検査結果として対応付ける。再検査装置２００は、対応付けられた再検査結果をサーバ３００に送信する。
【００１９】
サーバ３００は、再検査装置２００から送信された再検査結果を紙葉類処理装置１００から送信された検査結果に組み合わせ、組み合わされた検査結果をサーバ３００内の記憶媒体に格納する。例えば、サーバ３００は、再検査結果を、再検査結果に含まれている識別情報と一致する識別情報を含む検査結果に加算する。
【００２０】
照合装置４００は、予め登録されたデポジット情報と、サーバ３００上の検査結果とを比較し、検査結果が正しいか否か照合する。デポジット情報は、バッチＩＤ、顧客、口座番号、及び金額などを示す情報である。例えば、照合装置４００は、同じバッチＩＤを持つデポジット情報と検査結果とを表示する。これにより、照合装置４００は、オペレータに同じバッチＩＤを持つデポジット情報と検査結果とを視認させる。さらに、照合装置４００は、オペレータによる操作入力に基づいて、同じバッチＩＤを持つデポジット情報と検査結果とが一致していることを認識する。
【００２１】
図２は、一実施形態に係る紙葉類処理装置１００の外観を示す。  
図２に示すように、紙葉類処理装置１００は、装置外部に、投入部１１２、操作部１３６、操作表示部１３７、ドア１３８、取出口１３９、及びキーボード１４０を備えている。
【００２２】
投入部１１２は、紙葉類Ｐを投入するための構成である。投入部１１２は、重ねられた状態の紙葉類Ｐをまとめて受け入れる。なお、上記したように、紙葉類Ｐの束には、バッチカードが重ねられている。
【００２３】
操作部１３６は、オペレータによる各種操作入力を受け付ける。操作表示部１３７は、オペレータに対して各種の操作案内、及び処理結果などを表示する。なお、操作表示部１３７は、タッチパネルとして構成されていてもよい。この場合、紙葉類処理装置１００は、操作表示部１３７に表示されるボタンと、操作表示部１３７に対するオペレータによる操作と、に基づいて、各種の操作入力を検知する。
【００２４】
ドア１３８は、投入部１１２の投入口を開閉する為のドアである。取出口１３９は、紙葉類処理装置１００により再流通不可と判断された紙葉類Ｐがスタックされる集積部から紙葉類Ｐを取り出す為の構成である。キーボード１４０は、オペレータによる各種操作入力を受け付ける入力部として機能する。
【００２５】
図３は、図２の紙葉類処理装置１００の構成例を示す。  
紙葉類処理装置１００は、装置内部に、バッチカード検知部１１１、投入部１１２、取出部１１３、吸着ローラ１１４、搬送路１１５、検査部１１６、ゲート１２０乃至１２５、排除搬送路１２６、排除集積部１２７、集積・結束部１２８乃至１３１、裁断部１３３、及びスタッカ１３４を備える。また、紙葉類処理装置１００は、主制御部１５１を備える。主制御部１５１は、紙葉類処理装置１００の各部の動作を統合的に制御する。
【００２６】
取出部１１３は、投入部の上部に設けられる。取出部１１３は、吸着ローラ１１４を備えている。吸着ローラ１１４は、投入部１１２にセットされた紙葉類Ｐを集積方向の上端に接するように設けられている。即ち、吸着ローラ１１４は、回転することにより、投入部１１２にセットされた紙葉類Ｐを集積方向の上端から１枚ずつ装置内部に取り込む。吸着ローラ１１４は、たとえば、１回転するごとに１枚の紙葉類Ｐを取出すように機能する。これにより、吸着ローラ１１４は、紙葉類Ｐを一定のピッチで取出す。吸着ローラ１１４により取り込まれた紙葉類Ｐは、搬送路１１５に導入される。また、吸着ローラ１１４は、例えば真空ポンプによる吸引力を使って紙葉類の表面に吸着して取り出す吸着ロータを備える構成であってもよい。
【００２７】
搬送路１１５は、紙葉類Ｐを紙葉類処理装置１００内の各部に搬送する。搬送路１１５は、図示しない搬送ベルト及び駆動プーリなどを備えている。搬送路１１５は、図示しない駆動モータ及び駆動プーリにより搬送ベルトを動作させる。搬送路１１５は、吸着ローラ１１４により取り込まれた紙葉類Ｐを搬送ベルトにより一定速度で搬送する。なお、搬送路１１５における取出部１１３に近い側を上流側、スタッカ１３４に近い側を下流側として説明する。
【００２８】
取出部１１３から延びた搬送路１１５上には、検査部１１６が設けられている。検査部１１６は、画像読取装置１１７、画像読取装置１１８、及び厚み検査部１１９を備えている。検査部１１６は、紙葉類Ｐの光学的特徴情報、機械的特徴、及び磁気的特長情報を検出する。これにより、紙葉類処理装置１００は、紙葉類Ｐの種類（券種）、汚損度、及び真偽などを検知する。
【００２９】
画像読取装置１１７、及び１１８は、それぞれ搬送路１１５を挟んで対面するように設けられている。画像読取装置１１７、及び１１８は、搬送路１１５を搬送される紙葉類Ｐの両面の画像を読み取る。画像読取装置１１７、及び１１８は、それぞれ、Ｃｈａｒｇｅ  Ｃｏｕｐｌｅｄ  Ｄｅｖｉｃｅ（ＣＣＤ）またはＣｏｍｐｌｉｍｅｎｔａｒｙ  Ｍｅｔａｌ  Ｏｘｉｄｅ  Ｓｅｍｉｃｏｎｄｕｃｔｏｒ（ＣＭＯＳ）などの受光素子が複数配列された構成と光学系とを備える。受光素子は、受光した光を電気信号、即ち画像に変換する。光学系は、例えばレンズ、または導光部材などの、光を受光し、受光した光を受光素子に結像させる構成を備える。
【００３０】
紙葉類処理装置１００は、画像読取装置１１７、及び１１８により撮像した画像に基づいて、紙葉類Ｐの表面及び裏面の模様画像を取得する。また、画像読取装置１１７、及び１１８は、バッチカードに印字されたバッチＩＤを含む画像（バッチカード画像）を取得し、取得したバッチカード画像を主制御部１５１に送信する。
【００３１】
画像読取装置１１７、及び１１８は、読み取った画像を検査部１１６内の図示しないメモリに一時的に記憶する。紙葉類処理装置１００は、このメモリに記憶されている画像を操作入力に応じて操作表示部１３７に表示することができる。
【００３２】
厚み検査部１１９は、搬送路１１５を搬送される紙葉類Ｐの厚みを検査する。例えば、検出した厚みが規定値以上である場合、紙葉類処理装置１００は、紙葉類Ｐの２枚取りを検出する。
【００３３】
また、検査部１１６は、図示しない磁性検査部などを備えている。磁性検査部は、紙葉類Ｐの磁気的な特徴情報を検出する。また、検査部１１６は、図示しない蛍光検査部などを備えている。蛍光検査部は、紙葉類Ｐの蛍光画像を検出する。
【００３４】
主制御部１５１は、画像読取装置１１７、１１８、厚み検査部１１９、及び磁気センサなどによる検出結果に基づいて、各種の判別を行う。例えば、主制御部１５１は、紙葉類Ｐの券種（ｄｅｎｏｍｉｎａｔｉｏｎ）またはカテゴリを判定する。
【００３５】
また、主制御部１５１は、紙葉類Ｐの真偽（ａｕｔｈｅｎｔｉｃａｔｉｏｎ）を判定する。すなわち、主制御部１５１は、紙葉類Ｐが真券(ｇｅｎｕｉｎｅ)であるか、偽券(ｃｏｕｎｔｅｒｆｅｉｔ)であるかを判定する。
【００３６】
また、主制御部１５１は、紙葉類Ｐの正損（ｆｉｔｎｅｓｓ）を検知する。即ち、主制御部１５１は、紙葉類Ｐが再流通可能な正券（ｆｉｔ  ｓｈｅｅｔ）であるか、再流通不可能な損券（ｕｎｆｉｔ  ｓｈｅｅｔ）であるかを判定する。
【００３７】
さらに、主制御部１５１は、紙葉類Ｐが排除券であるか否か判定する。すなわち、主制御部１５１は、偽券と判定された紙葉類Ｐ、または厚み検査部１１９により重なりが検知された紙葉類Ｐ、または判別が不可能であった紙葉類Ｐを排除券と判定する。例えば、主制御部１５１は、バッチカードを排除券と判定する。
【００３８】
また、主制御部１５１は、搬送経路中で前の紙葉類Ｐと後ろの紙葉類Ｐとの間隔が短い為に各検出器による検出が正しく行われないショートピッチが発生した紙葉類Ｐを排除券と判定する。
【００３９】
紙葉類処理装置１００は、正券と判定した紙葉類Ｐを集積・結束部１２８乃至１３１に搬送する。また、紙葉類処理装置１００は、損券と判定した紙葉類Ｐを裁断部１３３に搬送する。裁断部１３３は、搬送される損券を裁断する。なお、紙葉類処理装置１００は、損券をスタッカ１３４に搬送し集積してもよい。例えば、スタッカ１３４は、集積した損券が例えば１００枚に到達するごとに施封を行う。
【００４０】
紙葉類処理装置１００は、排除券と判定した紙葉類Ｐを排除集積部１２７に搬送する。排除券は、例えば、２枚取り券などの搬送異常券、折れまたは破れなどが存在する不良券、及び適用外券種または偽券などの判別不能券を含む。また、紙葉類処理装置１００は、紙葉類Ｐ及び紙葉類Ｐの間に挿入されたバッチカードを排除券として排除集積部１２７に搬送する。
【００４１】
検査部１１６の下流側の搬送路１１５上には、ゲート１２０乃至１２５が順に配設されている。ゲート１２０乃至１２５は、それぞれ、主制御部１５１により制御される。主制御部１５１は、検査部１１６による検査の結果に基づいて各ゲート１２０乃至１２５の動作を制御する。これにより、主制御部１５１は、搬送路１１５を搬送されている紙葉類Ｐを所定の処理部に搬送するように制御する。
【００４２】
検査部１１６の直後に配設されたゲート１２０は、搬送路１１５を排除搬送路１２６に分岐する。即ち、ゲート１２０は、検査部１１６による検査の結果、真券ではないと判定された排除券、または、検査部１１６による検査を行うことができない検査不能券等を排除搬送路１２６に搬送するように切り替えられる。
【００４３】
排除搬送路１２６の終端部には、排除集積部（排除部）１２７が設けられている。排除集積部１２７は、取出部１１３にて取出した姿勢のまま、上記したような排除券、及び検査不能券を集積する。排除集積部１２７に集積された紙葉類Ｐは、取出口１３９から取り出すことができる。
【００４４】
また、ゲート１２１乃至１２４により分岐される先には、集積・結束部１２８乃至１３１（総じて集積結束部１３２と称する）がそれぞれ設けられている。集積・結束部１３２には、再流通可能であると判定された紙葉類Ｐが券種及び表裏毎に区別されて集積される。集積・結束部１３２は、集積した紙葉類Ｐを所定枚数毎に結束して格納する。
【００４５】
ゲート１２５により分岐される先には、裁断部１３３が配設されている。裁断部１３３は、紙葉類Ｐを裁断して収納する。ゲート１２５に搬送される紙葉類Ｐは、正規の紙葉類Ｐであり、且つ、再流通が不可能であると判定された紙葉類Ｐ（損券）である。
【００４６】
また、ゲート１２５により分岐される他方の搬送路の先には、スタッカ１３４が配設されている。主制御部１５１は、損券裁断モードが選択されている場合、紙葉類Ｐを裁断部１３３に搬送するようにゲート１２５を制御する。また、主制御部１５１は、損券裁断モードが選択されていない場合、紙葉類Ｐをスタッカ１３４に搬送するようにゲート１２５を制御する。
【００４７】
なお、オペレータは、操作部１３６、操作表示部１３７、及びキーボード１４０などを操作することにより、紙葉類処理装置１００に処理させる紙葉類Ｐの種類（券種）を任意で設定させることができる。
【００４８】
図４は、図２及び図３の紙葉類処理装置１００の制御系の構成例を示す。  
紙葉類処理装置１００は、主制御部１５１、検査部１１６、搬送制御部１５２、裁断制御部１５６、操作表示部１３７、キーボード１４０、などを備える。また、紙葉類処理装置１００は、プリンタ１４１、ＵＳＢハブ１６１、トランスポートコントローラ１６２、バンダーコントローラ１６３、及び検知コントローラ１６４などを備える。
【００４９】
主制御部１５１は、紙葉類処理装置１００の全体的な制御を司る。主制御部１５１は、例えば、ＰＣ（パーソナルコンピュータ）等の一部により実現することができる。
【００５０】
主制御部１５１は、操作表示部１３７により入力される操作、及び検査部１１６による検査の結果に基づき、搬送制御部１５２及び裁断制御部１５６を制御する。また、主制御部１５１は、検査結果などをプリンタ１４１により帳票として出力することができる。さらに、主制御部１５１は、検査結果をＬＡＮなどのネットワークを介してサーバ３００に送信することができる。
【００５１】
また、主制御部１５１には、ＵＳＢハブ１６１が接続されている。また、ＵＳＢハブ１６１には、トランスポートコントローラ１６２、バンダーコントローラ１６３、及び検知コントローラ１６４などが接続されている。
【００５２】
主制御部１５１は、トランスポートコントローラ１６２を介して、搬送制御部１５２、裁断制御部１５６、及び取出部１１３などの動作を制御することができる。また、主制御部１５１は、バンダーコントローラ１６３を介して、集積・結束部１２８乃至１３１の動作を制御することができる。また、主制御部１５１は、検知コントローラ１６４を介して、検査部１１６の各検出機器の動作を制御することができる。
【００５３】
例えば、操作員は、操作表示部１３７またはキーボード１４０により、処理する紙葉類Ｐに対する各種の判定における処理項目毎の閾値、及び処理方法などを入力する。
【００５４】
検査部１１６は、上記したように、画像読取装置１１７、及び１１８、及び厚み検査部１１９などを備える。
【００５５】
搬送制御部１５２は、主制御部１５１の制御に基づき、取出部１１３、搬送路１１５、排除搬送路１２６、及びゲート１２０乃至１２５を制御する。これにより、搬送制御部１５２は、紙葉類Ｐの取り込み及び搬送を制御する。また、搬送制御部１５２は、判定した紙葉類Ｐの券種毎に区分する区分処理を行う。即ち、搬送制御部１５２は、区分処理部として機能する。
【００５６】
例えば、搬送制御部１５２は、損券と判定された紙葉類Ｐを裁断部１３３、またはスタッカ１３４に搬送するようにゲート１２０乃至１２５を制御する。また、搬送制御部１５２は、排除券と判定された紙葉類Ｐ、及びバッチカードを排除集積部１２７に搬送するようにゲート１２０乃至１２５を制御する。
【００５７】
バンダーコントローラ１６３は、主制御部１５１の制御に基づき、排除集積部１２７及び集積・結束部１２８乃至１３１を制御する。これにより、バンダーコントローラ１６３は、紙葉類Ｐの集積、及び結束の制御を行なう。
【００５８】
裁断制御部１５６は、主制御部１５１の制御に基づき、裁断部１３３の動作を制御する。これにより、裁断部１３３は、搬送される紙葉類Ｐの裁断を行う。
【００５９】
また、主制御部１５１は、画像読取装置１１７及び１１８により取得されたバッチカード画像に基づいて、バッチＩＤを認識することができる。
【００６０】
なお、主制御部１５１は、集積・結束部１３２または裁断部１３３に搬送された紙葉類Ｐの計数結果と、バッチＩＤとを対応付けて検査結果として記憶する。また、主制御部１５１は、検査結果をサーバ３００に送信する。
【００６１】
また、主制御部１５１は、検査部１１６の各検査器による検査項目毎の閾値を予め記憶するメモリ１５１ａを備える。主制御部１５１は、検査部１１６の各検査器により検出された検出値と、メモリ１５１ａに記憶されている閾値とを比較し、比較結果に基づいて紙葉類Ｐの券種、真偽、正損、紙葉類Ｐが排除券であるか否かなどを判定する。
【００６２】
なお、メモリ１５１ａに記憶されている閾値は、操作部１３６、操作表示部１３７、及びキーボード１４０などに対する入力に基づいて変更されてもよい。
【００６３】
また、主制御部１５１は、紙葉類Ｐの計数結果と、バッチＩＤとを対応付けた検査結果を記憶するメモリ１５１ｂを備える。
【００６４】
また、図４に示されるように、サーバ３００は、制御部３１０、通信部３２０、及びストレージ３３０を備える。
【００６５】
制御部３１０は、サーバ３００の各部の動作を制御する制御部として機能する。制御部３１０は、ＣＰＵ３１１、ＲＯＭ３１２、及びＲＡＭ３１３などを備えている。制御部３１０は、通信部３２０を介して入力された情報に基づいて種々の処理を行う。
【００６６】
ＣＰＵ３１１は、種々の演算処理を実行する演算素子などを備える。ＣＰＵ３１１は、ＲＯＭ３１２に記憶されているプログラムを実行することにより種々の機能を実現する。ＲＯＭ３１２は、サーバ３００を制御する為のプログラム、及び各種の機能を実現する為のプログラムなどを記憶する。ＲＡＭ３１３は、ＣＰＵ３１１のワークメモリとして機能する。即ち、ＲＡＭ３１３は、ＣＰＵ３１１の演算結果、ＣＰＵ３１１により読み込まれたデータなどを記憶する。
【００６７】
通信部３２０は、ＬＡＮによりインターネットなどのネットワーク上の他の機器と通信を行なうことができる。これにより、サーバ３００は、ネットワーク上に設置された紙葉類処理装置１００と通信することができる。
【００６８】
ストレージ３３０は、ハードディスクドライブ（ＨＤＤ）、ソリッドステイトドライブ（ＳＳＤ）、または他の記憶装置を備える。制御部３１０は、通信部３２０を介して受け取った種々の情報をストレージ３３０に記憶させることができる。
【００６９】
上記したように、サーバ３００は、紙葉類処理装置１００から送信された検査結果をストレージ３３０に記憶する。またさらに、サーバ３００は、再検査装置２００から送信された再検査結果を紙葉類処理装置１００から送信された検査結果に組み合わせ、組み合わされた検査結果をストレージ３３０に記憶する。また、サーバ３００は、照合装置４００からの要求に応じて、検査結果を照合装置４００に送信する。
【００７０】
図５及び図６は、バッチカード、及び紙葉類Ｐの束（バッチ）の例を示す。図５は、紙葉類Ｐの束５５の例を示す。図６は、バッチカード５３の例を示す。  
図５に示されるように、紙葉類Ｐの束５５は、所定の枚数（例えば１００００枚）の紙葉類Ｐと、バッチカード５３とが重ねられたものである。例えば、紙葉類Ｐの束５５は、バッチカード５３が複数枚の紙葉類Ｐの上に重ねられて束ねられる。即ち、紙葉類Ｐの束５５は、バッチカード５３、所定の枚数（例えば１００００枚）の紙葉類Ｐの順で束ねられる。
【００７１】
バッチカード５３は、紙葉類Ｐと同一の外径寸法、あるいは、紙葉類Ｐよりも大きな外径寸法に形成され、且つ表面または裏面にバッチＩＤを示す印刷が施された紙葉類である。
【００７２】
図６に示されるように、バッチカード５３は、バッチＩＤがコード化されたバーコード５３１、及びバッチＩＤを示す文字列５３２などの印刷を有する。また、各バッチカード５３の裏面にもバーコード５３１、及び文字列５３２などが印刷されている。
【００７３】
紙葉類処理装置１００の主制御部１５１は、バッチカード画像のバーコード５３１または文字列５３２を解析することにより、バッチカード５３のバッチＩＤを取得することができる。なお、バッチカード５３のバッチＩＤは、バーコードに限らず二次元コードまたは他の方法によりコード化されて印刷されてもよい。
【００７４】
操作員は、紙葉類処理装置１００を起動し、種々の設定を行う。操作員は、束５５を紙葉類処理装置１００の投入部１１２にセットし、操作表示部１３７により処理を開始させる。なお、紙葉類処理装置１００は、バッチカードで区切られた複数の束５５を連続して処理することができる。
【００７５】
処理を開始した場合、紙葉類処理装置１００は、紙葉類を一枚ずつ取り込む。紙葉類処理装置１００は、取り込んだ紙葉類Ｐを検査部１１６に搬送する。さらに、紙葉類処理装置１００は、検査部１１６の各モジュールにより検査を行う。即ち、紙葉類処理装置１００は、検査部１１６の各モジュールにより、紙葉類Ｐの光学的特徴情報、機械的特徴、及び磁気的特長情報を検出する。
【００７６】
紙葉類処理装置１００の主制御部１５１は、検査部１１６により紙葉類Ｐから検出した特徴に基づいて、紙葉類Ｐを識別する。即ち、主制御部１５１は、紙葉類Ｐのカテゴリ、真偽、及び正損を判別する。また、主制御部１５１は、紙葉類Ｐが排除券であるか否か判定する。
【００７７】
なお、紙葉類処理装置１００に投入される各束５５の先頭にはバッチカード５３が重ねられている。この為、紙葉類処理装置１００は、バッチカード５３を最初に検査する。紙葉類処理装置１００は、検査部１１６の画像読取部１１７及び１１８により取得された画像に基づいて、バッチカード５３のバッチＩＤを取得する。さらに、紙葉類処理装置１００は、バッチカード５３を排除券であると判定する。
【００７８】
紙葉類処理装置１００は、識別処理の結果に基づいて、紙葉類Ｐの区分処理を行う。なお、紙葉類処理装置１００は、排除券であると判定したバッチカード５３を排除集積部１２７に搬送する。また、紙葉類処理装置１００は、紙葉類Ｐの真偽、正損、及びカテゴリなどの識別結果に応じて紙葉類Ｐを集積庫に区分する。また、例えば、紙葉類処理装置１００は、偽券と判定された紙葉類Ｐ、厚み検査部１１９により重なりが検知された紙葉類Ｐ、または判別が不可能であった紙葉類Ｐを排除券と判定する。紙葉類処理装置１００は、排除券であると判定した紙葉類Ｐを排除集積部１２７に搬送する。
【００７９】
紙葉類処理装置１００は、後続の紙葉類Ｐの有無を判断する。後続の紙葉類Ｐが存在すると判断した場合、紙葉類処理装置１００は、後続の紙葉類Ｐを処理する。即ち、紙葉類処理装置１００は、バッチカード５３の後続の紙葉類Ｐを処理することになる。
【００８０】
また、紙葉類処理装置１００は、後続の紙葉類Ｐが存在しないと判断した場合、バッチカード５３から読み取ったバッチＩＤと、紙葉類Ｐの計数結果とを対応付け、検査結果を生成する。紙葉類処理装置１００の主制御部１５１は、生成した検査結果をメモリ１５１ｂに記憶する。また、紙葉類処理装置１００は、生成した検査結果をサーバ３００に送信する。
【００８１】
なお、操作員は、排除券束を確認し、排除券束内の紙葉類Ｐを確認する。操作員は、排除券束内の真券の枚数を確認し、操作表示部１３７により真券の枚数とバッチＩＤを入力する。これにより、紙葉類処理装置１００は、機械的に計数した紙葉類Ｐの枚数と、操作員が確認した紙葉類Ｐの枚数との合計である計数結果をバッチＩＤ毎に得ることができる。
【００８２】
さらに、紙葉類処理装置１００は、入力された枚数をバッチカード５３のバッチＩＤと対応付けてサーバ３００に送信する。これにより、サーバ３００は、機械的に計数した紙葉類Ｐの枚数と、操作員が確認した紙葉類Ｐの枚数との合計である計数結果を得ることができる。
【００８３】
なお、紙葉類処理装置１００は、１つのバッチの計数結果が二つ以上のバッチに分割されたことを検知することができる。
【００８４】
例えば、紙葉類処理装置１００の主制御部１５１は、１つのバッチの処理中にジャムの発生、サーバ３００との回線が切断された、紙葉類処理装置１００の電源が切れたなどの物理的障害が発生した場合、計数結果のバッチが分割されたことを検知することができる。
【００８５】
また、例えば、紙葉類処理装置１００の主制御部１５１は、１つのバッチの処理中に操作入力により処理の停止が指示された場合、計数結果のバッチが分割されたことを検知することができる。
【００８６】
また、例えば、紙葉類処理装置１００の主制御部１５１は、１つのバッチの処理後に同じバッチの紙葉類Ｐの追加処理が発生した場合、計数結果のバッチが分割されたことを検知することができる。なお、この場合、主制御部１５１は、追加処理が必要になった紙葉類Ｐが属する元のバッチを特定する為の情報を操作入力に応じて生成する。即ち、オペレータは、元のバッチを特定する為のバッチＩＤを操作部１３６または操作表示部１３７などにより入力する必要がある。
【００８７】
また、例えば、紙葉類処理装置１００の主制御部１５１は、１つのバッチの処理後に同じバッチの排除券を再度処理した場合、計数結果のバッチが分割されたことを検知することができる。この場合も、主制御部１５１は、再処理が必要になった紙葉類Ｐが属する元のバッチを特定する為の情報を操作入力に応じて生成する。即ち、オペレータは、元のバッチを特定する為のバッチＩＤを操作部１３６または操作表示部１３７などにより入力する必要がある。
【００８８】
このようにバッチ内で計数結果のバッチが分割された場合、後処理で計数結果のバッチを統合する必要がある。そこで、紙葉類処理装置１００の主制御部１５１は、計数結果のバッチが分割されたことを検知した場合、分割されたバッチに対してバッチが分割されたことを示す特記事項を付す。
【００８９】
例えば、バッチの分割の原因が、計数処理の中断である場合、主制御部１５１は、処理が中断される前のバッチと、処理が再開された後のバッチとに対してバッチが分割されたことを示す「divided」などの特記事項を付加する。
【００９０】
また、例えば、バッチの分割の原因が、追加処理、または排除券の再処理などである場合、主制御部１５１は、操作入力に応じて計数結果上でバッチを特定する。主制御部１５１は、特定したバッチと、処理が再開された後のバッチとに対してバッチが分割されたことを示す「divided」などの特記事項を付加する。
【００９１】
図７は、照合装置４００の例を示す。照合装置４００は、制御部４１０、表示部４２０、操作部４３０、記憶部４４０、及びＬＡＮインターフェース４５０を備える。
【００９２】
制御部４１０は、照合装置４００の各部の動作を制御する制御部として機能する。制御部４１０は、ＣＰＵ、ＲＯＭ、及びＲＡＭなどを備えている。制御部４１０は、操作部４３０により入力された情報、及びＬＡＮインターフェース４５０を介して受け取った情報に基づいて種々の処理を行う。
【００９３】
制御部４１０のＣＰＵは、種々の演算処理を実行する演算素子などを備える。制御部４１０のＣＰＵは、制御部４１０のＲＯＭに記憶されているプログラムを実行することにより種々の機能を実現する。制御部４１０のＲＯＭは、照合装置４００を制御する為のプログラム、及び各種の機能を実現する為のプログラムなどを記憶する。制御部４１０のＲＡＭは、制御部４１０のＣＰＵのワークメモリとして機能する。即ち、制御部４１０のＲＡＭは、制御部４１０のＣＰＵの演算結果、ＣＰＵにより読み込まれたデータなどを記憶する。また、制御部４１０は、表示部４２０に表示させる画面、映像を生成する。即ち、制御部４１０は、表示部４２０の表示を制御する。
【００９４】
表示部４２０は、液晶表示装置、有機ＥＬディスプレイ、または他の映像を表示可能なディスプレイを備える。表示部４２０は、制御部４１０の制御に基づいて、オペレータに対して各種の操作案内、及び処理結果などを表示する。
【００９５】
操作部４３０は、オペレータによる各種操作入力に応じた操作信号を受け付ける。操作部４３０は、例えばキーボード、マウス、または他の操作を入力可能なデバイスが接続可能なインターフェースを備える。操作部４３０は、受け取った操作信号を制御部４１０に出力する。なお、表示部４２０と操作部４３０とは、ディスプレイとタッチセンサとが組み合わされたタッチパネルとして構成されていてもよい。この場合、操作部４３０は、表示部４２０に表示されるボタンと、操作部４３０に対するオペレータによる操作と、に基づいて、各種の操作信号を生成する。
【００９６】
記憶部４４０は、ハードディスクドライブ（ＨＤＤ）、ソリッドステイトドライブ（ＳＳＤ）、または他の記憶装置を備える。制御部４１０は、ＬＡＮインターフェース４５０を介して受け取った種々の情報を記憶部４４０に記憶させることができる。
【００９７】
ＬＡＮインターフェース４５０は、ＬＡＮにより制御部４１０がネットワーク上の他の機器と通信する為のインターフェースである。例えば、図１に示されたように、ネットワーク上に紙葉類処理装置１００、再検査装置２００、サーバ３００、及び照合装置４００が接続されている。この為、照合装置４００は、ＬＡＮインターフェース４５０を介して紙葉類処理装置１００、再検査装置２００、及びサーバ３００と通信することができる。
【００９８】
上記したように、照合装置４００は、予め登録されたデポジット情報と、サーバ３００上の検査結果とを比較し、検査結果が正しいか否か照合する。この為に、照合装置４００の記憶部４４０は、デポジット情報を予め記憶する。また、照合装置４００は、サーバ３００に対して検査結果を要求する。サーバ３００は、照合装置４００からの要求に応じて検査結果を照合装置４００に送信する。照合装置４００の記憶部４４０は、サーバ３００から受け取った検査結果を記憶する。
【００９９】
図８は、照合装置４００の動作の例を示す。  
照合装置４００の制御部４１０は、検査結果をサーバ３００に要求する（ステップＳ１１）。制御部４１０は、検査結果をサーバ３００から受け取る（ステップＳ１２）。
【０１００】
制御部４１０は、受け取った検査結果に基づいて照合画面を生成し、生成した照合画面を表示部４２０に表示する（ステップＳ１３）。さらに制御部４１０は、照合画面の表示中の操作に応じて、統合処理を行うか照合処理を行うかを判断する（ステップＳ１４）。
【０１０１】
図９は、表示部４２０に表示された照合画面の例を示す。
【０１０２】
照合画面は、検査結果、ボタン４２１、及びボタン４２２などを有する。検査結果は、「Batch No」、「Batch ID」、「Rejects」、「Pockets」、及び「Notes」などの項目を有する。
【０１０３】
「Batch No」は、サーバ３００でバッチ毎に自動的に生成されるインデックスである。「Batch ID」は、バッチカード５３から紙葉類処理装置１００により読み取られたバッチＩＤを示す。「Rejects」は、このバッチ内で紙葉類処理装置１００により排除券と判定された紙葉類Ｐの数を示す。「Pockets」は、このバッチ内で紙葉類処理装置１００により計数された紙葉類Ｐの数（集積数）を示す。「Notes」は、このバッチの処理における特記事項を示す情報である。
【０１０４】
図９の例では検査結果は、バッチナンバー１から７までの７バッチを含んでいる。また、バッチナンバーが１，２，３，４，及び７のバッチは、「Notes」に特記事項が含まれていない。また、バッチナンバーが５及び６のバッチは、「Notes」に「divided」との特記事項が含まれている。
【０１０５】
「divided」は、分割されたバッチであることを示す情報（バッチ分割情報）である。照合装置４００は、このようにバッチ分割情報を照合画面に表示させることにより、バッチが分割されたものであるのか否かをオペレータに容易に認識させることができる。
【０１０６】
ボタン４２１は、照合処理を照合装置４００に実行させるためのボタンである。操作によりボタン４２１が選択された場合、照合装置４００の制御部４１０は、照合処理を実行する。
【０１０７】
ボタン４２２は、統合処理を照合装置４００に実行させるためのボタンである。操作によりボタン４２２が選択された場合、照合装置４００の制御部４１０は、統合処理を実行する。
【０１０８】
制御部４１０は、統合処理を実行する場合、照合画面中の各バッチを操作に応じて選択可能な状態で照合画面に表示させる。なお、制御部４１０は、二つ以上のバッチを同時に選択可能な状態で照合画面に表示させる。さらに、制御部４１０は、逐次バッチが選択されたか否か判断する（ステップＳ１５）。例えば、制御部４１０は、ステップＳ１５で二つ以上のバッチが選択されたか否か判断する。
【０１０９】
ステップＳ１５で二つ以上のバッチが選択されたと判断した場合、制御部４１０は、  統合処理を実行した後の結果をプレビュー表示する（ステップＳ１６）。
【０１１０】
図１０は、プレビュー画面の例を示す。なお、この例は、バッチナンバー５及び６のバッチが選択された例である。
【０１１１】
プレビュー画面は、選択されたバッチ（選択バッチ）４２３、統合結果プレビュー４２４、ボタン４２５、及びボタン４２６などを含む。
【０１１２】
選択バッチ４２３は、上記のステップＳ１５で選択されたバッチである。例えばここでさらにバッチが選択された場合、選択バッチ４２３内に選択されたバッチが追加される。
【０１１３】
統合結果プレビュー４２４は、選択バッチ４２３内のバッチの計数結果の合算結果を示す表示である。制御部４１０は、選択バッチ４２３内のバッチの「Rejects」及び「Pockets」を合算し、統合結果プレビュー４２４内に表示させる。
【０１１４】
さらに制御部４１０は、「Batch No」、「Batch ID」、及び「Notes」を統合した状態で統合結果プレビュー４２４内に表示させる。例えば、制御部４１０は、選択バッチ４２３内のバッチのうちの一つの「Batch No」を統合結果プレビュー４２４の表示に用いる。また、制御部４１０は、選択バッチ４２３内のバッチのうちの一つの「Batch ID」を統合結果プレビュー４２４の表示に用いる。さらに、制御部４１０は、「Notes」を「none」に書き換える。これにより、制御部４１０は、統合処理後の計数結果を統合処理前に表示させることができる。
【０１１５】
ボタン４２５は、統合処理を照合装置４００に実行させるためのボタンである。操作によりボタン４２５が選択された場合、照合装置４００の制御部４１０は、統合処理を実行する。
【０１１６】
ボタン４２６は、統合処理を照合装置４００に中止させるためのボタンである。操作によりボタン４２６が選択された場合、照合装置４００の制御部４１０は、統合処理を中止する。
【０１１７】
制御部４１０は、統合処理の実行が選択されたか否か判断する（ステップＳ１７）。即ち、制御部４１０は、ボタン４２５が選択されたか４２６が選択されたかを判断する。ボタン４２５が選択された場合、制御部４１０は、統合処理の実行が選択されたと判断する。また、ボタン４２６が選択された場合、制御部４１０は、統合処理がキャンセルされたと判断する。
【０１１８】
統合処理の実行が選択されたと判断した場合、制御部４１０は、統合処理を実行する（ステップＳ１８）。具体的には、制御部４１０は、ステップＳ１５で選択されたバッチの「Rejects」及び「Pockets」を合算し、ステップＳ１５で選択されたバッチの「Batch No」及び「Batch ID」のうちの一つをそれぞれ採用し、「Notes」を「none」に書き換える。即ち、制御部４１０は、選択バッチ４２３内のバッチを削除し、統合結果プレビュー４２４に表示されているバッチをサーバ３００の検査結果に加える。
【０１１９】
即ち、制御部４１０は、選択された複数のバッチのバッチＩＤのうちの１つを採用し、選択された複数のバッチの排除券数及び集積数のそれぞれの合算数を採用されたバッチＩＤに対応付けることにより、統合処理を実行する。
【０１２０】
制御部４１０は、表示部４２０に表示されている検査結果の表示を更新し（ステップＳ１９）、ステップＳ１４にループする。即ち、制御部４１０は、バッチの統合が実行された検査結果を表示部４２０に表示させる。
【０１２１】
また、ステップＳ１７で、統合処理がキャンセルされたと判断した場合、ステップＳ１４にループする。
【０１２２】
また、ステップＳ１４で、照合処理が選択されたと判断した場合、制御部４１０は、照合処理を実行する（ステップＳ２０）。照合処理を実行する場合、制御部４１０は、表示部４２０に同じバッチＩＤを持つデポジット情報と検査結果とを表示させる。これにより、照合装置４００は、オペレータに確認させるデポジット情報及び検査結果を視認させることができる。制御部４１０は、デポジット情報及び検査結果の表示中のオペレータによる操作に基づいて、照合の可否を判断し、処理を終了する。
【０１２３】
図１１は、紙葉類処理システム１の紙葉類処理装置１００及び照合装置４００の処理のタイミングの例を示す。
【０１２４】
紙葉類処理装置１００は、タイミングｔ０から処理を開始し、バッチナンバー１、バッチナンバー２、バッチナンバー３のバッチを続けて処理する。この結果、バッチナンバー１の処理が完了したタイミングｔ１でバッチナンバー１の検査結果がサーバ３００に蓄積される。また、バッチナンバー２の処理が完了したタイミングｔ２でバッチナンバー２の検査結果がサーバ３００に蓄積される。また、バッチナンバー３の処理が完了したタイミングｔ３でバッチナンバー３の検査結果がサーバ３００に蓄積される。  照合装置４００は、タイミングｔ０からタイミングｔ１の間では、サーバに検査結果が蓄積されていない為照合処理を実行することができない。照合装置４００は、タイミングｔ１からバッチナンバー１の照合処理を実行する。照合装置４００は、バッチナンバー１の処理が完了した後待機状態になる。また、照合装置４００は、タイミングｔ２からバッチナンバー２の照合処理を実行し、タイミングｔ３からバッチナンバー３の照合処理を実行する。
【０１２５】
このように、紙葉類処理システム１では、紙葉類処理装置１００による計数処理と、照合装置４００による照合処理とが並行して実行される。
【０１２６】
上記したように、紙葉類処理システム１の照合装置４００は、サーバ３００上の検査結果内の複数のバッチを一つのバッチに統合することができる。また、照合装置４００は、バッチを実際に統合する前に、統合後の結果をプレビュー表示させることができる。またさらに、紙葉類処理システム１の紙葉類処理装置１００は、バッチが分割された場合に、バッチが分割されたことを示すバッチ分割情報を検査結果に付加する。照合装置４００は、検査結果を表示する場合、バッチ分割情報も各バッチ毎に表示する。これにより、照合装置４００は、分割されたバッチをオペレータに視認させることができる。
【０１２７】
このような構成により、照合装置４００は、簡易な操作でバッチの統合を実行することができる。また、照合装置４００は、誤ったバッチが統合されることを防ぐことができる。この結果、より効率的に紙葉類を処理することができる紙葉類処理方法、及び紙葉類処理システムを提供することができる。
【０１２８】
なお、上記の実施形態では、照合装置４００の制御部４１０は、デポジット情報及び検査結果の表示中のオペレータによる操作に基づいて、照合の可否を判断すると説明したが、この構成に限定されない。例えば、制御部４１０は、統合後の「Rejects」及び「Pockets」のカウントが予め設定された所定数になっているか否かに基づいて照合の可否を判断する構成であってもよい。通常、紙葉類処理装置１００に投入されるバッチは、１００００枚など予め設定された枚数である場合が多い。そこで、制御部４１０は、例えば、「Rejects」と「Pockets」とのカウントの合計が予め設定された数である場合に、照合結果を可と判断する構成であってもよい。
【０１２９】
また、照合装置４００の制御部４１０は、デポジット情報と検査結果とを突き合わせて照合の可否を判断する構成であってもよい。即ち、制御部４１０は、同じバッチＩＤを持つデポジット情報が示す金額に基づいて、検査結果の「Rejects」及び「Pockets」が正しいか照合する構成であってもよい。
【０１３０】
また、上記の実施形態では、照合装置４００は、デポジット情報を予め記憶部４４０に記憶する構成であると説明したが、この構成に限定されない。デポジット情報は、サーバ３００に予め登録される構成であってもよい。この場合、照合装置４００は、デポジット情報をサーバ３００に対して要求する。サーバ３００は、照合装置４００からの要求に応じてデポジット情報を照合装置４００に送信する。照合装置４００は、受け取ったデポジット情報を記憶部４４０に記憶する。
【０１３１】
また、上記の実施形態では、検査結果はサーバ３００記憶される構成であると説明したがこの構成に限定されない。検査結果は、例えば、紙葉類処理装置１００、再検査装置２００、サーバ３００、照合装置４００など、ネットワーク上のどこに記憶される構成であってもよい。照合装置４００は、照合処理または統合処理を行う場合、ネットワーク上から検査結果を取得して処理を実行することができる。
【０１３２】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１３３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１３４】
１…紙葉類処理システム、５３…バッチカード、５５…束、１００…紙葉類処理装置、１１２…投入部、１１３…取出部、１１４…吸着ローラ、１１５…搬送路、１１６…検査部、１１７…画像読取装置、１１８…画像読取装置、１１９…厚み検査部、１２０…ゲート、１２５…ゲート、１２６…排除搬送路、１２７…排除集積部、１３２…集積・結束部、１３３…裁断部、１３４…スタッカ、１３６…操作部、１３７…操作表示部、１４０…キーボード、１５１…主制御部、１５１ａ…メモリ、１５１ｂ…メモリ、１５２…搬送制御部、１５６…裁断制御部、２００…再検査装置、３００…サーバ、３１０…制御部、３１１…ＣＰＵ、３１２…ＲＯＭ、３１３…ＲＡＭ、３２０…通信部、３３０…ストレージ、４００…照合装置、４１０…制御部、４２０…表示部、４３０…操作部、４４０…記憶部。
【図１】
2015176209.tif 000003
【図３】
2015176209.tif 000004
【図４】
2015176209.tif 000005
【図５】
2015176209.tif 000006
【図６】
2015176209.tif 000007
【図７】
2015176209.tif 000008
【図８】
2015176209.tif 000009
【図９】
2015176209.tif 000010
【図１０】
2015176209.tif 000011
【図１１】
2015176209.tif 000012
【図２】
2015176209.tif 000013